(57)【要約】 【課題】珠玉部とクラスプの本体とを接続した場合に、終端留め具や連結部材などの非装飾部材が外観上において有することなく、また、珠玉部及びクラスプの本体に施された装飾の一体性を保ち、装身具の審美性を維持する。【解決手段】紐部材が挿通された珠玉１１２を有する珠玉部の一端側に連結される挿し込み部材１２０と、前記珠玉部１１０の他端側に連結されるとともに内部において前記挿し込み部材１２０が挿脱可能な本体１３０と、を有するクラスプにおいて、前記本体１３０は、前記珠玉部１１０の他端側における前記紐部材１１１の端部１１１ａまたは折返部を留める終端留め機構５０を前記本体１３０の内部に有することを特徴とする。【選択図】図２
2014176593.tif 000002
【特許請求の範囲】
【請求項１】
紐部材が挿通された珠玉を有する珠玉部の一端側に連結される挿し込み部材と、前記珠玉部の他端側に連結されるとともに内部において前記挿し込み部材が挿脱可能な本体と、を有するクラスプにおいて、
前記本体は、前記珠玉部の他端側において前記紐部材の端部または折返部を留める終端留め機構を前記本体の内部に有することを特徴とするクラスプ。
【請求項２】
紐部材が挿通された珠玉を有する珠玉部の一端側に連結される挿し込み部材と、前記珠玉部の他端側に連結されるとともに内部において前記挿し込み部材が挿脱可能な本体と、を有するクラスプにおいて、
前記挿し込み部材は、前記珠玉部の一端側における前記紐部材の端部または折返部を留める終端留め機構を前記挿し込み部材の内部に有することを特徴とするクラスプ。
【請求項３】
前記終端留め機構は、前記紐部材の端部が係止される係止部を有することを特徴とする請求項１または請求項２記載のクラスプ。
【請求項４】
紐部材が挿通された珠玉を有する珠玉部の一端側に連結される挿し込み部材と、前記珠玉部の他端側に連結されるとともに内部において前記挿し込み部材が挿脱可能な本体と、を有するクラスプにおいて、
前記挿し込み部材は、前記挿し込み部材の長手方向軸に沿って形成されかつ前記紐部材が挿通可能に形成され前記挿し込み部材を貫通する貫通孔と、
前記貫通孔に直交する方向から前記貫通孔内部の前記紐部材をかしめて前記貫通孔の内部に前記紐部材を固着させる手段により前記珠玉部の一端側における前記紐部材の端部を留める終端留め機構と、
を有することを特徴とするクラスプ。
【請求項５】
前記本体は、前記珠玉部の他端側の珠玉に差し込まれる円筒部を有することを特徴とする請求項１または請求項３記載のクラスプ。
【請求項６】
前記挿し込み部材は、前記珠玉部の一端側の珠玉に差し込まれる円筒部を有することを特徴とする請求項２〜請求項４のいずれか１項に記載のクラスプ。
【請求項７】
前記本体は、前記珠玉部の他端側の珠玉に差し込まれる挿入部を有し、前記挿入部は、前記挿入部を貫通する穴であって前記紐部材が挿通される穴部を有することを特徴とする請求項１または請求項３記載のクラスプ。
【請求項８】
前記挿し込み部材は、前記珠玉部の一端側の珠玉に差し込まれる挿入部を有し、前記挿入部は、前記挿入部を貫通する穴であって前記紐部材が挿通される穴部を有することを特徴とする請求項２または請求項３記載のクラスプ。
【請求項９】
請求項１〜請求項６のいずれか１項に記載のクラスプを有する装身具であって、前記紐部材は、形状記憶合金からなることを特徴とする装身具。
【発明の詳細な説明】
【技術分野】
【０００１】
本発明は、環状装身具用のクラスプ及び環状装身具に関する。
【背景技術】
【０００２】
従来のネックレスやブレスレットなどの多数の珠玉を有する環状装身具は、珠玉にワイヤなどの紐部材が挿通され多数の珠玉が連接してなる珠玉部と、紐部材の珠玉からの抜けを防止するために珠玉部の両端に設けられた終端留め具と、所定の操作により珠玉部の両端を結合または分離させるクラスプと、クラスプと珠玉部の端部とを連結させるための連結部材と、を有している。また、クラスプは、挿し込み部材と、挿し込み部材が内部に挿し込まれる本体とから構成されており、挿し込み部材と本体とは、それぞれ連結部材と連結される連結環を備えている。
【０００３】
例えば、特許文献１には、連結環を有する装身具用留め具（クラスプ）が開示されており（特許文献１の図２参照）、装身具用留め具は、円環状の連結部材を介して、珠玉部の端部と連結されている。そして、このようなクラスプの本体は、装飾品の審美性を維持するために装飾が施されていることが多い。
【先行技術文献】
【特許文献】
【０００４】
【特許文献１】特開２００５−２３０４６２号公報
【発明の概要】
【発明が解決しようとする課題】
【０００５】
しかしながら、このような従来の装身具は、外観上において装飾が施されていない終端留め具や連結部材などの非装飾部材を有しており、装身具の審美性が害されるおそれがある。また、装飾が施された珠玉部と、クラスプとが離間して形成され、外観上において珠玉部及びクラスプに施された装飾の一体性が損なわれてしまう。これにより、装身具の外観が悪くなってしまうという問題があった。
【０００６】
本発明は、上述の不都合を斟酌して創案したものであり、本発明の目的は、珠玉部とクラスプとを接続した場合に、終端留め具や連結部材などの非装飾部材が外観上において有することなく、また、珠玉部及びクラスプに施された装飾の一体性を保ち、装身具の審美性を維持することができるクラスプを提供することである。
【課題を解決するための手段】
【０００７】
前記課題を解決するために創案された請求項１の発明は、紐部材が挿通された珠玉を有する珠玉部の一端側に連結される挿し込み部材と、珠玉部の他端側に連結されるとともに内部において挿し込み部材が挿脱可能な本体と、を有するクラスプにおいて、本体は、珠玉部の他端側において紐部材の端部または折返部を留める終端留め機構を本体の内部に有することを特徴とする。
【０００８】
前記課題を解決するために創案された請求項２の発明は、紐部材が挿通された珠玉を有する珠玉部の一端側に連結される挿し込み部材と、珠玉部の他端側に連結されるとともに内部において前記挿し込み部材が挿脱可能な本体と、を有するクラスプにおいて、挿し込み部材は、珠玉部の一端側における紐部材の端部または折返部を留める終端留め機構を挿し込み部材の内部に有することを特徴とする。
【０００９】
前記課題を解決するために創案された請求項３の発明は、終端留め機構は、紐部材の端部が係止される係止部を有することを特徴とする。
【００１０】
前記課題を解決するために創案された請求項４の発明は、紐部材が挿通された珠玉を有する珠玉部の一端側に連結される挿し込み部材と、珠玉部の他端側に連結されるとともに内部において挿し込み部材が挿脱可能な本体と、を有するクラスプにおいて、挿し込み部材は、挿し込み部材の長手方向軸に沿って形成されかつ紐部材が挿通可能に形成され挿し込み部材を貫通する貫通孔と、貫通孔に直交する方向から貫通孔内部の紐部材をかしめて貫通孔の内部に紐部材を固着させる手段により珠玉部の一端側における紐部材の端部を留める終端留め機構と、を有することを特徴とする。
【００１１】
前記課題を解決するために創案された請求項５の発明は、本体は、珠玉部の他端側の珠玉に差し込まれる円筒部を有することを特徴とする。
【００１２】
前記課題を解決するために創案された請求項６の発明は、挿し込み部材は、珠玉部の一端側の珠玉に差し込まれる円筒部を有することを特徴とする。
【００１３】
前記課題を解決するために創案された請求項７の発明は、本体は、珠玉部の他端側の珠玉に差し込まれる挿入部を有し、挿入部は、挿入部を貫通する穴であって紐部材が挿通される穴部を有することを特徴とする。
【００１４】
前記課題を解決するために創案された請求項８の発明は、挿し込み部材は、珠玉部の一端側の珠玉に差し込まれる挿入部を有し、挿入部は、挿入部を貫通する穴であって紐部材が挿通される穴部を有することを特徴とする。
【００１５】
前記課題を解決するために創案された請求項９の発明は、請求項１ないし請求項６のいずれか１項に記載のクラスプを有する装身具であって、紐部材は、形状記憶合金からなることを特徴とする。
【００１６】
請求項１の発明では、本体と珠玉部との間に、非装飾部材を有することによる装身具の美観の悪化を防止するとともに、本体と珠玉部との外観上の一体性を維持し、装身具の審美性を維持することができる。
【００１７】
請求項２の発明では、挿し込み部材と珠玉部との間に非装飾部材を有することによる装身具の美観の悪化を防止するとともに、挿し込み部材と珠玉部との外観上の一体性を維持し、装身具の審美性を維持することができる。
【００１８】
請求項３の発明では、紐部材の端部を留めるために、内部において係止構造が採用されるため、本体または挿し込み部材を簡素な構成で形成することができる。
【００１９】
請求項４の発明では、貫通孔に挿通され、挿し込み部材の先端から引き出された紐部材を牽引しながら、紐部材をかしめることができる。そのため、紐部材が適度な張力を保持した状態で紐部材の端部を留めることができる。また、紐部材が形状記憶合金からなる場合であっても適用可能である。
【００２０】
請求項５の発明では、本体に設けられる円筒部は、珠玉部の端部の珠玉に差し込まれる。そして、装身具において、本体と珠玉部の端部の珠玉とが一体化するように連結される。そのため、本体が首振り動作することがなく、該珠玉上において本体の向きが一定に保たれた状態となる。これにより、クラスプの着脱時の操作を、本体を把持して行う代わりに、本体に隣接する珠玉を把持して行うことも可能となる。よって、クラスプの着脱時における本体の操作性を向上させることができる。
【００２１】
請求項６の発明では、挿し込み部材に設けられる円筒部は、珠玉部の端部の珠玉に差し込まれる。そして、装身具において、挿し込み部材と珠玉部の端部の珠玉とが一体化するように連結される。そのため、挿し込み部材が首振り動作することがなく、該珠玉上において挿し込み部材の向きが一定に保たれた状態となる。これにより、クラスプの着脱時の操作を、挿し込み部材を把持して行う代わりに、挿し込み部材に隣接する珠玉を把持して行うことも可能となる。よって、クラスプの着脱時における挿し込み部材の操作性を向上させることができる。
【００２２】
請求項７の発明では、請求項５の発明の効果と同様に、クラスプの着脱時の操作を、本体を把持して行う代わりに、本体に隣接する珠玉を把持して行うことも可能となる。よって、クラスプの着脱時における本体の操作性を向上させることができる。また、紐部材が穴部を介して珠玉部側に折り返されることにより、紐部材を介して本体と珠玉部とをより確実に接続することができる。
【００２３】
請求項８の発明では、請求項６の発明の効果と同様に、クラスプの着脱時の操作を、挿し込み部材を把持して行う代わりに、挿し込み部材に隣接する珠玉を把持して行うことも可能となる。よって、クラスプの着脱時における挿し込み部材の操作性を向上させることができる。また、紐部材が穴部を介して珠玉部側に折り返されることにより、紐部材を介して挿し込み部材と珠玉部とをより確実に接続することができる。
【００２４】
請求項９の発明では、本発明のクラスプを装身具の形態で提供することができる。また、紐部材は形状記憶合金からなることにより、本体と珠玉との境界部分または挿し込み部材と珠玉との境界部分における紐部材の折れ曲がりなどの変形が抑制され、本体あるいは挿し込み部材が珠玉の表面上において、首振り動作や鉛直方向に傾いてしまうことが抑制される。そのため、本体は、挿し込み口が挿し込み部材側に向いた状態で保持され、挿し込み部材は、本体の挿し込み口に向いた状態で保持される。また、本体と挿し込み部材との連結、分離の操作を、本体または挿し込み部材に隣接する珠玉を把持して行うことも可能となる。したがって、クラスプの連結及び分離の際における、本体または挿し込み部材の操作を容易かつ確実に行うことができる。
【発明の効果】
【００２５】
本発明によれば、珠玉部とクラスプとの間において、終端留め具や連結部材などの非装飾部材を設けまたは連結させる必要がなく、珠玉部及びクラスプに施された装飾による外観上の一体性を保ち、装身具の審美性を維持することができるクラスプを提供することができる。
【図面の簡単な説明】
【００２６】
【図１】第１実施形態に係るクラスプを用いた装身具の要部の斜視図である。
【図２】第１実施形態に係るクラスプの部分断面図である。
【図３】第２実施形態に係るクラスプの本体の断面図である。
【図４】第３実施形態に係るクラスプの本体の断面図である。
【図５】第４実施形態に係るクラスプの本体の断面図である。
【図６】第４実施形態に係るクラスプの本体の変形例を示す分解斜視図である。
【図７】第５実施形態に係るクラスプの本体の要部を示し、（ａ）は横断面図、（ｂ）は使用時における縦断面図である。
【図８】第６実施形態に係るクラスプの挿し込み部材を示し、（ａ）は部分断面図、（ｂ）は変形例の部分断面図、（ｃ）は分解図である。
【図９】第７実施形態に係るクラスプの本体の要部を示し、（ａ）は横断面図、（ｂ）は使用時における縦断面図である。
【図１０】第８実施形態に係るクラスプの挿し込み部材を示し、（ａ）は挿し込み部材の側面図、（ｂ）は使用時における断面図である。
【図１１】第９実施形態に係るクラスプの挿し込み部材を示し、（ａ）は側面図、（ｂ）は使用時の概略断面図である。
【図１２】第９実施形態に係るクラスプの本体の使用時の概略断面図である。
【図１３】第１０実施形態に係るクラスプを示し、（ａ）は部分断面図、（ｂ）は分解図である。
【図１４】第１０実施形態に係るクラスプの挿し込み部材と珠玉との接続工程を示す概略断面図である。
【発明を実施するための形態】
【００２７】
以下、本発明の実施形態について図面を参照しながら説明する。ただし、本発明はこれに限定されるものではない。また、図面においては実施形態を説明するため、一部分を大きくまたは強調して記載するなど適宜縮尺を変更して表現している。
また、本発明のクラスプは終端留め機構を有しているが、本発明の終端留め機構とは、珠玉に挿通されて珠玉部の端部に引き出された紐部材の端部または折返部を留めることにより、珠玉部の珠玉が紐部材から抜けることを防止するために設けられる機構をいう。
【００２８】
＜第１実施形態＞
以下、本発明の実施形態を添付図面に基づいて説明する。
まず、本発明の第１実施形態に係るクラスプ１００について、図１および図２に基づいて説明する。図１は、本発明の第１実施形態のクラスプ１００を備えた装身具の要部の斜視図であり、図２は、第１実施形態に係るクラスプ１００の断面図である。
【００２９】
クラスプ１００は、図１及び図２に示すように、挿し込み部材１２０と、挿し込み部材１２０が挿し込まれる挿入口１４１を有する本体１３０と、から構成されている。挿し込み部材１２０及び本体１３０は金属製の部品である。挿し込み部材１２０は、紐部材１１１が挿通されることにより珠玉１１２が連接されてなる珠玉部１１０の一端側に連結され、本体１３０は、珠玉部１１０の他端側に連結される。また、本体１３０の端部１３０ａは、珠玉部１１０の端側に配置された珠玉１１２ａに当接されており、挿し込み部材１２０の端部１２０ａは、珠玉部１１０の端側に配置された珠玉１１２ｂに当接されている。
【００３０】
次に、クラスプ１００の本体１３０について説明する。本体１３０は、図２に示すように、着脱機構１４０と、終端留め機構５０とを有している。
【００３１】
着脱機構１４０は、挿し込み部材１２０と本体１３０とを着脱可能とするものであり、着脱機構１４０は、挿し込み部材１２０が挿脱される挿入口１４１と、開口部１４２と、開口部１４２に挿入され挿し込み部材１２０を着脱するためのコイルバネなどの付勢手段１４３と、係脱用の押しボタン１４４とを有している。なお、着脱機構１４０は、上記の構成に限定されず、例えば回動式や板ばね式などの種々の構成とすることができる。以下の実施形態においても同様である。すなわち、本発明のクラスプに係る着脱機構は、着脱機構１４０に限定されず、種々の構成の着脱機構が採用される。
【００３２】
着脱機構１４０においては、挿し込み部材１２０が、本体１３０の挿入口１４１に差し込まれ、挿し込み部材１２０が係止される。また、押しボタン１４４が押圧されると、挿入口１４１内部に設けられた着脱機構１４０が作動して、着脱機構１４０による係止が解除される。
【００３３】
終端留め機構５０は、後述する挿入穴１５１を有しており、終端留め機構５０により本体１３０の内部において紐部材１１１の端部１１１ａが留められる。本実施形態の終端留め機構５０においては、本体の端部１３０ａにおいて紐部材１１１の端部１１１ａが挿入可能に形成された挿入穴１５１が設けられている。挿入穴１５１は、深さ方向が紐部材１１１の端部１１１ａの長さ方向に沿って形成され、後述するように、内部に紐部材１１１の端部１１１ａが挿入される。挿入穴１５１と紐部材１１１との間には接着剤１８０が配置される。
【００３４】
なお、この挿入穴１５１は、挿入口１４１に貫通するように設けられてもよい。この場合、挿入穴１５１へ挿入可能な紐部材１１１の長さが、より長く設定可能となるため、紐部材１１１と挿入穴１５１との接着面積を増大させて接着強度を向上させることができる。また、挿入穴１５１の内径は、紐部材１１１の端部１１１ａの外径とほぼ同径に設定されてもよい。この場合、紐部材１１１の端部１１１ａの表面と挿入口１４１の内周面との密着性が高くなり、紐部材１１１の端部と本体１３０との結合強度を向上させることができる。
【００３５】
次に、クラスプ１００における挿し込み部材１２０について説明する。挿し込み部材１２０は、棒状の部材からなり、本体１３０との連結、分離の操作の際に把持可能なフランジ部１２１と、本体１３０の挿入口１４１内に挿入される挿し込み部１２２と、先端に形成された略円錐形状の先端部１２３と、着脱機構１４０において係止される係止溝部１２４と、を有している。また、内部に、本体１３０における終端留め機構５０と同様の構成を備えた終端留め機構１５０を有し、本体１３０における挿入穴１５１と同様に、端部１２０ａにおいて紐部材１１１の端部１１１ｂが挿入可能に形成された挿入穴１２５が設けられている。
【００３６】
続いて、本実施形態のクラスプ１００が適用される装身具について説明する。
装身具は、例えばネックレスやブレスレットなどの円環状に形成された装身具であり、図１に示すように、主として、クラスプ１００と、珠玉部１１０とから構成されている。
【００３７】
クラスプ１００の本体１３０は、図２に示すように、挿入穴１５１に紐部材１１１の端部１１１ａが挿入されており、紐部材１１１の端部１１１ａは、接着剤１８０を介して、挿入穴１５１の周面及び端面に固着されている。これにより、珠玉１１２に挿通された紐部材１１１の端部１１１ａが留められ、珠玉部１１０を構成する珠玉１１２から紐部材１１１の抜けが防止されている。また、本体１３０は、珠玉部１１０の端部の珠玉１１２ａに当接されている。この紐部材１１１の端部１１１ａの留めに用いられる接着剤１８０としては、例えばエポキシ樹脂系接着剤など、金属同士の接着が可能な接着剤が用いられる。
【００３８】
挿し込み部材１２０についても、図２に示すように、挿入穴１２５に紐部材１１１の端部１１１ｂが挿入されており、紐部材１１１の端部１１１ｂは、接着剤１８０を介して、挿入穴１２５の周面及び端面に固着されている。これにより、珠玉１１２に挿通された紐部材１１１の端部１１１ｂが留められる。
【００３９】
珠玉部１１０は、紐部材１１１が挿通された珠玉１１２が連接されて形成されている。本実施形態の装身具の珠玉１１２には、例えば真珠が用いられている。なお、珠玉１１２は真珠に限定されず、種々の宝石や装飾品を用いることができ、形状も球状に限定されない。また、紐部材１１１には、形状記憶合金製のワイヤが用いられている。これにより、紐部材１１１は、折れ曲がりなどの変形が生じにくいため、装身具の形状は円環状に維持されている。
【００４０】
このように、クラスプ１００によれば、本体１３０において紐部材１１１の端部１１１ａを留める終端留め機構５０を有していることにより、クラスプ１００を有する装身具は、本体１３０と珠玉部１１０との間において、例えば連結用の円環部材などの非装飾部材を有しないため、装身具がこのような非装飾部材を外観上有することによる審美性の悪化を防止することができる。また、本体１３０は、珠玉部１１０の端部の珠玉１１２ａに当接した状態で連結されている。すなわち、本体１３０と珠玉部１１０とが、互いに隣接し、外観上の一体性が維持される。よって装身具の審美性を維持することができる。また、挿し込み部材１２０と珠玉部１１０との間においても非装飾部材を有しないため、装身具の審美性の悪化が防止されるとともに、挿し込み部材１２０は、珠玉部１１０の端部の珠玉１１２ｂに当接した状態で連結されている。そのため、挿し込み部材１２０と珠玉部１１０との外観上の一体性が維持され、装身具の審美性を維持することができる。なお、上記のように、本体１３０及び挿し込み部材１２０は、珠玉１１２ａ、１１２ｂに当接されているが、本体１３０及び挿し込み部材１２０と、珠玉１１２ａ、１１２ｂとの間において、両者の接触や干渉により珠玉１１２ａ、１１２ｂの表面が損傷することや、紐部材１１１に対し適度な張力を付加することにより紐部材１１１の折れ曲がりを防止することを目的として、両者間に、弾性部材を配置させてもよい。この場合、弾性部材は、珠玉部１１０や本体１３０における装飾と同種の色彩を有することが望ましい。なお、この弾性部材は、珠玉１１２と珠玉１１２との間に設けられてもよい。後述する以下の実施形態についても同様である。
【００４１】
また、紐部材１１１は、形状記憶合金からなるため、紐部材１１１が、本体１３０の端部１３０ａ上において、折れ曲がることが抑制される。そのため、珠玉１１２ａ上において本体１３０が首振り動作することや、鉛直方向に傾いてしまうことがなく、本体１３０の珠玉１１２ａ上の向きが不安定になることが抑制される。これにより、クラスプ１００の着脱時の操作を、本体１２０の代わりに隣接する珠玉１１２ａを把持して行うことも可能となり、クラスプ１００の着脱時における操作性を向上させることができる。また、本体１３０の挿入穴１５１の深さ方向は、挿し込み部材１２０方向に保持されるため、クラスプ１００の着脱操作を容易かつ確実に行うことができる。また、挿し込み部材１２０においても同様に、挿し込み部材１２０の珠玉１１２ｂ上の向きが不安定になることが抑制される。また、挿し込み部材１２０の向きは、本体１３０の方向に保持されるため、クラスプ１００の着脱時における操作性を向上させることができるとともに、クラスプ１００の着脱操作を容易かつ確実に行うことができる。
【００４２】
なお、本発明のクラスプは、挿し込み部材１２０と本体１３０とを有していることに限定されず、挿し込み部材１２０と本体１３０とのうちいずれか一方のみを有するクラスプであってもよい。本発明のクラスプは、例えば、挿し込み部材１２０と挿し込み部材１２０が挿脱及び着脱可能に形成された他の本体とから構成されてもよい。また、本体１３０に対して挿脱及び着脱可能に形成された挿し込み部材と本体１３０とから構成されてもよい。
【００４３】
＜第２実施形態＞
続いて、第２実施形態について説明する。以下の説明において、第１実施形態と同一または同様の構成部分については同一符号を付けて説明を省略または簡略化する。
【００４４】
図３は、第２実施形態に係るクラスプの要部の断面を示している。第２実施形態に係るクラスプは、挿し込み部材１２０と本体２３０とから構成される挿し込み部材１２０は、第１実施形態と同様のものが用いられる。よって、挿し込み部材１２０の構成については説明を省略する。また、図３の第２実施形態に係るクラスプの本体２３０は、図２に示すような着脱機構１４０を省略した状態で表している。
【００４５】
本発明の第２実施形態に係るクラスプは、挿し込み部材１２０と、本体２３０と、から構成されている。本体２３０は、着脱機構１４０と、終端留め機構２５０と、を有している。
【００４６】
本実施形態の終端留め機構２５０は、図３に示すように、挿入穴２５１と、かしめ部材２５２と、かしめ部材挿入孔２５３とを有している。挿入穴２５１は、本体２３０の端部２３０ａに設けられており、挿入穴２５１は、紐部材１１１の端部１１１ａが挿入可能であり、深さ方向が紐部材１１１の端部１１１ａの長さ方向に沿って形成されている。また、挿入穴２５１の深さは、挿入穴２５１に挿入される紐部材１１１の長さよりも長く形成されている。
【００４７】
かしめ部材挿入孔２５３は、挿入穴２５１と外部とを貫通させる円形の孔により形成され、内周面には後述するかしめ部材２５２の雄螺子と螺合される雌螺子が形成されている。また、かしめ部材挿入孔２５３の深さ方向は、挿入穴２５１に対して直交する方向に設けられており、かしめ部材挿入孔２５３は、かしめ部材２５２の進退方向が挿入穴２５１に対して直交する方向となるように規制している。なお、本体２３０の表面におけるかしめ部材挿入孔２５３の開口部には、本体２３０の装飾と同様の装飾が表面に施されたカバー部材２９０が本体２３０の外周面に沿って設けられているが、このカバー部材２９０は任意の構成要素である。
【００４８】
かしめ部材２５２は、外周面に雄螺子が設けられた円柱形状を有する部材であり、かしめ部材挿入孔２５３内部に配置される。かしめ部材２５２は、本体２３０外部からの操作により、挿入穴２５１に対して、挿入穴２５１の側面側から進行可能に設けられている。
【００４９】
続いて、本実施形態のクラスプ２００が装身具に適用された状態を説明する。珠玉部における珠玉及び本実施形態のクラスプの挿し込み部材１２０については、第１実施形態と同様のものが用いられるため説明を省略する。また、紐部材１１１は、形状記憶合金製のワイヤが用いられており、紐部材１１１の端部１１１ａには、終端部材２１２が設けられている。終端部材２１２は、紐部材１１１がかしめ部材２５２により直接押さえ付けられてしまうと、紐部材１１１が折れ曲がってしまうことがあり、この折れ曲がりを防止するために設けられている。終端部材２１２は、金属製の円筒形状の部材であり、内部に紐部材１１１の端部１１１ａが配置されている。紐部材１１１の端部１１１ａと終端部材２１２とは、接着剤（不図示）により接着され、終端部材２１２は紐部材１１１と一体化して形成されている。なお、このような終端部材２１２と紐部材１１１との一体化形成は、紐部材１１１の側面において、終端部材２１２がかしめられて形成されてもよい。なお、終端部材２１２は、紐部材１１１が終端留めされた際に折れ曲がることのない材料により形成されている場合には不要であり、任意の構成部材である。
【００５０】
本実施形態のクラスプの本体２３０における終端留め機構２５０においては、図３に示すように、挿入穴２５１に、紐部材１１１の端部１１１ａとともに終端部材２１２が挿入される。次いで、本体２３０の外部から、精密ドライバ等の工具を用いて、かしめ部材２５２がかしめ部材挿入孔２５３に沿って挿入穴２５１に進行され、終端部材２１２は、挿入穴２５１の内壁面に押さえつけられまたはかしめられて挿入穴２５１に固着される。これにより、珠玉１１２に挿通された紐部材１１１の端部１１１ａは、本体２３０内部において留められる。なお、終端部材２１２は、かしめられた際に潰されて挿入穴２５１の軸方向に広がるように変形した場合であっても、挿入穴２５１の深さは、挿入される紐部材１１１の長さよりも長く形成されていることにより、本体２３０内部に破損が生じることがない。本体２３０は、珠玉部１１０の端部の珠玉１１２ａに当接して形成されている。
【００５１】
なお、かしめ部材及びかしめ部材挿入孔に螺子が形成されずに、かしめ部材を外部からかしめ部材挿入孔の内部に圧入させて、終端部材２１２を圧潰させることにより、紐部材１１１の端部１１１ａを留める構成としてもよい。この場合、かしめ部材挿入孔の形状は円形に限定されない。
【００５２】
このように、本体２３０を有するクラスプによれば、第１実施形態のクラスプ１００の効果と同様の効果を有することに加えて、紐部材１１１の端部１１１ａを留める際に接着剤が使用されず、機械的手法が用いられて行われることにより、本体２３０の内部において確実に紐部材１１１の端部１１１ａを留めることができる。
【００５３】
＜第３実施形態＞
続いて、第３実施形態について説明する。以下の説明において、第１、第２実施形態と同一または同様の構成部分については同一符号を付けて説明を省略または簡略化する。
【００５４】
第３実施形態に係るクラスプは、挿し込み部材１２０と本体３３０とから構成され、挿し込み部材１２０は、第１実施形態と同様のものが用いられる。よって、挿し込み部材１２０については説明を省略する。また、図４に示す第３実施形態に係るクラスプの本体３３０は、図１に示すような着脱機構１４０を省略した状態で表している。
【００５５】
本実施形態に係るクラスプは、挿し込み部材１２０と、本体３３０とから構成されている。本体３３０は、着脱機構１４０と、終端留め機構３５０とを有している。着脱機構１４０は、第１実施形態と同様のものが用いられる。
【００５６】
本実施形態における終端留め機構３５０は、図４に示すように、紐部材１１１が挿通される挿通孔３５１と、紐部材１１１の端部１１１ａに設けられた係止片３１２が係止される係止面３５２と、紐部材１１１の端部１１１ａ及び後述する係止片３１２が配置可能な空間からなる収容空間３５３と、を有している。収容空間３５３と挿入口１４１とは一体的に形成されている。
【００５７】
続いて、本実施形態のクラスプが装身具に適用された状態を説明する。珠玉部１１０における珠玉１１２及び本実施形態のクラスプの挿し込み部材１２０については、第１実施形態と同様のものが用いられるため、説明は省略する。また、本実施形態に係るクラスプに挿入される紐部材１１１は、形状記憶合金製のワイヤが用いられている。挿入口１４１に挿入される紐部材１１１の端部には、係止片３１２を有している。係止片３１２は、円筒形状を有する金属製の部材から形成され、側面側から押圧されかしめられて変形し、紐部材１１１と一体化した状態で設けられている。なお、係止片３１２の形状、構成及び材質は、これに限定されるものではなく、例えば、内部に紐部材１１１が挿入されるとともに接着剤により接着される多角柱形状の部材などであってもよく、また樹脂材料などが用いられてもよく、任意である。
【００５８】
図４に示すように、紐部材１１１は、挿通孔３５１に挿通されている。また、紐部材１１１は、本体３３０側の端部１１１ａに係止片３１２を有しており、係止片３１２は本体３３０の内側面３３０ｂの一部の領域に設けられた係止面３５２において係止されている。これにより、紐部材１１１の端部１１１ａが係止片３１２を介して留められる。また、本体３３０は珠玉部１１０の端部の珠玉１１２に当接されている。なお、本実施形態においては、紐部材１１１と係止片３１２とは別個の部材であるが、紐部材１１１の端部１１１ａをフランジ状に加工することにより係止片３１２と同様の構成を設けてもよい。
【００５９】
次に、本実施形態に係るクラスプを装身具に用いる場合において、紐部材１１１を用いた本体３３０と珠玉部１１０との接続手順について説明する。先ず、紐部材１１１の一端側の端部１１１ａに係止片３１２を設ける。そして、紐部材１１１を他端側から本体の挿入口１４１を介して挿通孔３５１へ挿通させていく。次いで、係止片３１２が係止された後、紐部材１１１の他端側を珠玉に挿通して珠玉部１１０を形成する。そして、紐部材１１１の他端側を挿し込み部材１２０に結合させる。
【００６０】
このように、本体３３０を有するクラスプによれば、第１実施形態のクラスプ１００の効果と同様の効果を有することに加えて、紐部材１１１が挿通される挿通孔３５１を有し、紐部材１１１の終端留めが、本体１３０の内部の係止面３５２に紐部材１１１が係止されることにより行われるため、本体３３０は、より簡易な構成で形成が可能となる。また、終端留め機構３５０では、本体３３０の内部における紐部材１１１に対する接着作業やかしめ作業などの作業を必要としないため、より容易かつ確実に紐部材１１１の端部１１１ａを留める行うことができる。
【００６１】
＜第４実施形態＞
続いて、第４実施形態について説明する。以下の説明において、第１実施形態と同一または同様の構成部分については同一符号を付けて説明を省略または簡略化する。
【００６２】
本実施形態のクラスプは、挿し込み部材１２０と本体４３０とから構成され、挿し込み部材は、第１実施形態と同様のものが用いられる。よって、挿し込み部材の構成については説明を省略する。また、図５に示す本実施形態のクラスプの本体４３０は、図１に示すような着脱機構１４０を省略した状態で表している。
【００６３】
本実施形態に係るクラスプの本体４３０は、珠玉１１２ａと連結される側の端部に終端留め機構４５０を有している。終端留め機構４５０は、紐留め部材４６０と、円形凹部４７１とを有している。また、本体４３０は、紐留め部材４６０と、筐体４７０とから形成されている。
【００６４】
紐留め部材４６０は、円筒形状を有し外周面に雄螺子４６１が形成されており、軸方向に貫通しかつ紐部材１１１が挿通される貫通穴４６２が設けられている。また、端面には紐部材１１１の端部１１１ａが係止される係止部４６３を備えている。一方、筐体４７０は、表面４３０ｃに紐留め部材４６０を収容する円形凹部４７１が設けられ、円形凹部４７１の周面に雄螺子４６１と螺合する雌螺子４７２が形成されている。
【００６５】
続いて、本実施形態のクラスプが装身具に適用された状態について説明する。
珠玉部１１０及び本実施形態のクラスプの挿し込み部材１２０については、第１実施形態と同様のものが用いられるため説明を省略する。
【００６６】
本体４３０において紐部材１１１の端部１１１ａを留める作業は、以下の手順で行われる。すなわち、紐留め部材４６０の貫通穴４６２に紐部材１１１が挿通され、紐部材１１１の端部１１１ａが直角方向に折り曲げられて、紐留め部材４６０の端面の係止部４６３に紐部材１１１の端部１１１ａが係止される。このような係止手段により紐部材１１１と紐留め部材４６０とが結合される。次いで、紐留め部材４６０と筐体４７０とは、それぞれの雄螺子４６１と雌螺子４７２とが螺合され締結される。また、図５に示すように、紐部材１１１の端部１１１ａは、紐留め部材４６０と、円形凹部４７１とに挟まれて配置かつ固着される。これにより、珠玉１１２に挿通された紐部材１１１の端部１１１ａは、本体４３０の内部において留められる。そして、本体４３０は、珠玉部１１０の端部の珠玉１１２ａに当接された状態で珠玉部に連結される。
【００６７】
このように、本体４３０を有するクラスプにおいても、第１実施形態のクラスプ１００の効果と同様の効果を有する。また、紐留め部材４６０と筐体４７０とは上記のように螺合締結される構造を備えることにより、紐留め部材４６０と筐体４７０との結合及び分離が適宜可能となる。そのため、本体４３０を有する装身具においては、珠玉部１１０と紐留め部材４６０との結合体と、筐体４７０と、のうちいずれか一方のみを適宜交換することができる。
【００６８】
なお、紐留め部材４６０と紐部材１１１との結合手段は、上記の係止手段に代えて、または上記の係止手段とともに、接着手段を用いてもよく、例えば貫通穴４６２の内周面と紐部材１１１の外周面とが、接着剤により接着される。
【００６９】
（変形例）
続いて、第４実施形態の変形例について説明する。変形例に係る本体の分解斜視図を図６に示す。変形例に係る本体においては、紐部材の端部が係止されるための、紐留め部材４６０１に設けられる係止部４６３１が、端面４６０１ａの一部を切り欠いた溝により設けられている点で、上記の第４実施形態と異なる。
【００７０】
このように、係止部４６３１が、紐留め部材４６０１の端面４６０１ａにおいて係止溝により形成されることにより、係止部４６３１に係止された紐部材１１１が回転することが防止される。よって、筐体４７０が紐留め部材４６０１に螺合し締結される際に、紐留め部材４６０１と筐体４７０とがとも回りすることが防止される。これにより、紐留め部材４６０１と筐体４７０とが確実に螺合され、紐部材１１１の端部１１１ａ留めをより容易かつ確実に行うことができる。
【００７１】
上記の第２〜第４実施形態におけるクラスプの挿し込み部材には、挿し込み部材１２０が用いられているが、挿し込み部材としては、本体２３０、３３０、４３０が有する着脱機構１４０により着脱可能な構成を有していればよい。すなわち、第２〜第４実施形態におけるクラスプにおける挿し込み部材は、挿し込み部材１２０に代えて、着脱機構１４０により着脱可能な、種々の挿し込み部材が用いられてもよい。また、挿し込み部材が終端止め機構を有する構成の場合、上記の各実施形態において本体に有する終端止め機構５０、２５０、３５０、４５０の構成を、挿し込み部材における終端止め機構に適用することも可能である。
また、上記の実施形態において、紐部材１１１には、形状記憶合金製のワイヤが用いられるが、これに限定されず、他の金属製ワイヤ、樹脂ワイヤ、糸状紐などの種々の紐状の材料を用いてもよい。また、上記の装身具は円環状に形成されているが、これに限定されず多角形などに形成されてもよい。以下の実施形態についても同様である。
【００７２】
＜第５実施形態＞
続いて、第５実施形態について説明する。以下の説明において、上記実施形態と同一または同様の構成部分については同一符号を付けて説明を省略または簡略化する。
本実施形態に係るクラスプは、本体５３０を有している。本体５３０の要部について、縦断面図を図７（ａ）、珠玉部１１０に接続された状態の本体５３０の横断面図を図７（ｂ）に示す。なお、横断面は、縦断面に対して直交する方向の断面である。また、図７（ａ）、（ｂ）では、着脱機構１４０を省略した状態で表している。
【００７３】
本体５３０は、図７（ａ）に示すように、内部において、終端留め機構５５０を有するとともに、端部に円筒部５６１を有している。本体５３０は、このような終端留め機構５５０及び円筒部５６１が設けられている点で、上記の実施形態のクラスプにおける本体１３０、２３０、３３０、４３０と異なる。また、本体５３０に着脱される挿し込み部材には、本体５３０の着脱機構１４０により着脱可能であればよく、この条件を備える種々の挿し込み部材を用いることができる。よって、本実施形態に係るクラスプの挿し込み部材については説明を省略し、以下、本体５３０について説明する。なお、紐部材１１１には、例えば糸状紐が用いられる。
【００７４】
本体５３０は、紐留め部材５６０と、筐体５７０とから形成されている。本体５３０の内部には、終端留め機構５５０を有している。この終端留め機構５５０は、引掛部５６２を有している。紐留め部材５６０は、図７（ａ）に示すように、円筒部５６１と、引掛部５６２と、開口部５６３とを有している。筐体５７０における珠玉１１２ａ側の端部には、円筒部５６１を挿通させる開口５７０ａが設けられている。また、筐体５７０は、着脱機構１４０を有している。本体５３０は、開口から円筒部５６１が突出した状態となるように紐留め部材５６０と筐体５７０とが組み合わされて形成される。
【００７５】
終端留め機構５５０においては、図７（ｂ）に示すように、紐留め部材５６０の筐体５７０側の端部において、紐部材１１１が、円筒部５６１内部に挿通され、開口部５６３から引き出された後、引掛部５６２の外周に巻きつけられて、珠玉部側に折り返されることにより、本体５３０の内部において紐部材１１１の折返部１１１ｃが留められる。
【００７６】
このように本体５３０は、内部に終端留め機構５５０を有することにより、珠玉部１１０と本体５３０との間において、終端留め具や連結部材などの非装飾部材を設けまたは連結させる必要がなく、珠玉部１１０及び本体５３０に施された装飾による外観上の一体性を保ち、装身具の審美性を維持することができる。また、終端留め機構５５０によれば、紐部材１１１の折返部１１１ｃは、引掛部５６２において確実に保持される。そのため、紐部材１１１を介して本体５３０と珠玉部１１０との接続をより確実に行うことができる。また、本体５３０から紐部材１１１が外れてしまい、珠玉部１１０の珠玉１１２が紐部材１１１から抜けることをより確実に防止することができる。
【００７７】
また、円筒部５６１は、紐留め部材５６０の珠玉部側に形成され、珠玉部の端部の珠玉１１２ａの内部に差し込まれる。なお、珠玉１１２ａの内部には、円筒部５６１が挿入される穴が開けられる。本実施形態のクラスプを有する装身具においては、本体５３０と珠玉部１１０の端部の珠玉１１２ａとが一体化するように連結される。そのため、本実施形態のクラスプが用いられた装身具においては、本体５３０が首振り動作することがなく、珠玉１１２ａ上において本体５３０の向きが一定に保たれた状態となる。これにより、クラスプの着脱時の操作を、本体５３０の代わりに隣接する珠玉１１２ａを把持して行うことも可能となり、クラスプの着脱時における操作性を向上させることができる。
【００７８】
なお、図示しないが、第１ないし４実施形態において、本体１３０、２３０、３３０、４３０は、円筒部５６１が付加された構成としてもよい。また、本体４３０において、紐留め部材４６０、５６０に円筒部５６１の部材が付加されてもよい。また、本体５３０は、円筒部５６１の部材と筐体５７０とが、螺合されることにより一体となって形成されてもよい。また、本体５３０は、円筒部５６１の部材と筐体５７０とが一体で製造されてもよく、円筒部５６１と挿入口１４１とを一体的に有する部品を内部に備えることにより製造されてもよい。
【００７９】
＜第６実施形態＞
続いて、第６実施形態について説明する。以下の説明において、上記実施形態と同一または同様の構成部分については同一符号を付けて説明を省略または簡略化する。
第６実施形態のクラスプにおける挿し込み部材６２０は、図８（ａ）に示すように、内部において終端留め機構６５０を有するとともに、端部に円筒部６２６を有している。また、挿し込み部６２２には、開口部６２７、引掛部６２８、が設けられている。なお、挿し込み部材６２０が着脱されるクラスプの本体は、挿し込み部材６２０が挿脱及び着脱可能であればよく、この条件を備える種々のクラスプの本体を用いることができる。よって、本実施形態に係るクラスプの本体については説明を省略し、以下、挿し込み部材６２０について説明する。また、紐部材１１１には、例えば糸状紐が用いられる。
【００８０】
終端留め機構６５０は、図８（ａ）に示すように、上記の終端留め機構５５０とほぼ同様の構成を有しており、終端留め機構６５０は、引掛部６２８を有している。終端留め機構６５０においては、図示しないが、紐部材１１１が、円筒部６２６内部に挿通され、開口部６２７から引き出された後、引掛部６２８の外周に巻きつけられて、珠玉部側に折り返されることにより、挿し込み部材６２０の内部において紐部材１１１の折返部１１１ｃが留められる。
【００８１】
このように挿し込み部材６２０は、内部に終端留め機構６５０を有することにより、珠玉部１１０と挿し込み部材６２０との間において、終端留め具や連結部材などの非装飾部材を設けまたは連結させる必要がなく、珠玉部１１０及び挿し込み部材６２０に施された装飾による外観上の一体性を保ち、装身具の審美性を維持することができる。また、終端留め機構６５０によれば、紐部材１１１の折返部１１１ｃは、引掛部６２８において確実に保持される。紐部材１１１を介して挿し込み部材６２０と珠玉部１１０との接続をより確実に行うことができる。また、挿し込み部材６２０から紐部材１１１が外れてしまい、珠玉部１１０の珠玉１１２が紐部材１１１から抜けることをより確実に防止することができる。
【００８２】
また、円筒部６２６は、珠玉部の端部の珠玉１１２ｂの内部に差し込まれる。そして、本実施形態のクラスプを有する装身具においては、挿し込み部材６２０と珠玉部の端部の珠玉１１２ｂとが一体化するように連結される。そのため、本実施形態のクラスプが用いられた装身具においては、挿し込み部材６２０が首振り動作することがなく、珠玉１１２ｂ上において挿し込み部材６２０の向きが一定に保たれた状態となる。これにより、クラスプの着脱時の操作を、挿し込み部材６２０の代わりに隣接する珠玉１１２ｂを把持して行うことも可能となり、クラスプの着脱時における操作性を向上させることができる。特に、挿し込み部材６２０と比較して珠玉１１２ｂが大きく形成されている場合には、より把持及び操作が容易となる利点を有する。
【００８３】
（変形例）
続いて、第６実施形態に係るクラスプの挿し込み部材６２０の変形例について説明する。本変形例に係る挿し込み部材７２０は、挿し込み部材６２０と同様に、円筒部６２６を有している。なお、珠玉１１２ｂの内部には、内径Ｄ１を有し、かつ円筒部６２６が挿入される穴が開けられる。また、以下の点において、挿し込み部材６２０と異なる。すなわち、変形例に係る挿し込み部材７２０は、図８（ｂ）に示すように、挿し込み部材７２０の長手方向軸に沿って形成されかつ紐部材が挿通可能に形成され、挿し込み部材７２０を貫通する貫通孔７２１を有している。また、終端留め機構７５０は、上記の終端留め機構２５０とほぼ同様に構成されており、終端留め機構７５０は、貫通孔７２１、かしめ部材７５２、かしめ部材挿入孔７５３を有している。かしめ部材７５２は、かしめ部材挿入孔７５３に挿入され、貫通孔７２１において部材１１１をかしめる部材である。かしめ部材挿入孔７５３は、かしめ部材７５２が挿入される孔であり、貫通孔７２１と外部とを貫通する孔により形成される。終端留め機構７５０においては、かしめ部材７５２をかしめ部材挿入孔７５３を介して貫通孔７２１に直交する方向から貫通孔７２１内部に挿入し、紐部材１１１をかしめて貫通孔７２１の内部に紐部材１１１を固着させる。その結果、紐部材１１１の端部１１１ｂは、挿し込み部材６２０の内部において留められる。このような、かしめ部材７５２を用いて紐部材１１１をかしめる手段は、例えば、第２実施形態の終端留め機構２５０と同様に、かしめ部材７５２にネジが形成され、精密ドライバ等の工具を用いて貫通孔７２１の内部に進行させて行われてもよく、あるいは、かしめ部材７５２がかしめ部材挿入孔７５３内に圧入されることにより行われてもよい。また、紐部材１１１には、例えば形状記憶合金製のワイヤが用いられるが、他の金属製ワイヤ、樹脂ワイヤ、糸状紐などが用いられてもよい。
【００８４】
挿し込み部材７２０においては、貫通孔７２１に挿通され、挿し込み部材７２０の先端７２０ａの貫通孔７２１から引き出された紐部材１１１が牽引されながら、紐部材１１１が、貫通孔７２１内部でかしめられて固着する。そして、先端７２０ａにおいてはみ出た紐部材１１１が切断される。このように、挿し込み部材７２０によれば、紐部材１１１が適度な張力を有する状態で紐部材１１１の端部１１１ａを留めることができる。また、このように紐部材１１１が形状記憶合金製のワイヤであっても適用可能である。
【００８５】
＜第７実施形態＞
続いて、第７実施形態に係るクラスプについて説明する。以下の説明において、上記実施形態と同一または同様の構成部分については同一符号を付けて説明を省略または簡略化する。
【００８６】
本実施形態に係るクラスプは本体８３０を有している。本体８３０の要部について、縦断面図を図９（ａ）、本体８３０が珠玉部１１０の端部の珠玉１１２ａに接続された状態の横断面図を図９（ｂ）に示す。なお、横断面は、縦断面に対して直交する方向の断面である。また、図９（ａ）、（ｂ）では、着脱機構１４０を省略した状態で表している。
【００８７】
本体８３０は、図９（ａ）に示すように、内部に終端留め機構８５０を有している。また、端部に挿入部８６１を有している。本体８３０は、終端留め機構８５０及び挿入部８６１が設けられている点で、上記の実施形態のクラスプにおける本体１３０、２３０、３３０、４３０、５３０と異なる。また、本体８３０に着脱される挿し込み部材には、本体８３０の着脱機構により着脱可能であればよく、この条件を備える種々の挿し込み部材を用いることができる。よって、本実施形態に係るクラスプの挿し込み部材については説明を省略し、以下、本体８３０について説明する。なお、紐部材１１１には、例えば糸状紐が用いられる。
【００８８】
本体８３０は、珠玉１１２ａに接続される側の端部において、挿入部８６１が設けられている。挿入部８６１は、略円柱形状に形成されている。挿入部８６１は、先端側において、挿入部８６１を貫通する穴である穴部８６３が設けられている。穴部８６３は、図９に示すように、長円形状を有しかつ本体８３０の長手方向に対して直交する方向に挿入部８６１を貫通する穴から形成されている。なお、挿入部８６１及び穴部８６３の形状は、上記の形状に限定されない。例えば、挿入部８６１の形状は、円筒形状、多角柱形状、これらの組み合わせ等、種々の形状が採用可能である。また、穴部８６３の位置は、挿入部８６１の先端側に限定されず、例えば挿入部８６１の中央部分に設けられてもよい。また、穴部８６３の形状は、円形状や多角形状であってもよく、屈折する形状や、他の方向または複数の方向に貫通する形状であってもよい。
【００８９】
本体８３０は、図９（ａ）に示すように、紐留め部材８６０と、筐体８７０とから形成されている。紐留め部材８６０は、挿入部８６１及び引掛部８６２を有している。なお、本体８３０は、紐留め部材８６０と、筐体８７０との２つの部材が組み合わされて構成されることに限定されず、本体８３０は、紐留め部材８６０と筐体８７０とが一体として形成されてもよい。また、本体８３０は、３つ以上の部材が組み合わされて形成されてもよい。
【００９０】
終端留め機構８５０は、本体８３０において珠玉１１２ａに接続される側の端部に設けられている。終端留め機構８５０は、引掛部８６２と、穴部８６３とを有している。引掛部８６２は、挿入部８６１の先端部８６０ａと穴部８６３とに挟まれた部分から形成される。なお、上述のように、挿入部８６１における穴部８６３の位置及び穴部８６３の形状について変更することが可能であるが、この場合、挿入部８６１における引掛部８６２の位置及び引掛部８６２の形状についても変更される。
【００９１】
終端留め機構８５０において、珠玉１１２ａの内部に挿通された紐部材１１１は、穴部８６３に挿通され、その後、引掛部８６２の外周に巻きつけられて、反対側に折り返される。これにより引掛部８６２において紐部材１１１の折返部１１１ｃが留められる。
【００９２】
このように本体８３０によれば、内部に終端留め機構８５０を有することにより、珠玉部１１０と本体８３０との間において、終端留め具や連結部材などの非装飾部材を設けまたは連結させる必要がなく、珠玉部１１０及び本体８３０に施された装飾による外観上の一体性を保ち、装身具の審美性を維持することができる。また、終端留め機構８５０によれば、紐部材１１１の折返部１１１ｃは、引掛部８６２において確実に保持される。そのため、紐部材１１１を介して本体８３０と珠玉部１１０との接続をより確実に行うことができる。また、本体８３０から紐部材１１１が外れてしまい珠玉１１２が紐部材１１１から抜けることを、より確実に防止することができる。
【００９３】
また、終端留め機構８５０によれば、紐部材１１１を引掛部８６２に留める作業が容易となる利点がある。すなわち、終端留め機構８５０の構成では、紐部材１１１を引掛部８６２の外周に巻きつけて反対側に折り返す作業の際に、他の部材がじゃまになることがない。よって、本体８３０と珠玉部１１０との連結作業を容易に行うことができる。
【００９４】
また、挿入部８６１は、紐留め部材８６０の珠玉部１１０側に形成され、珠玉部１１０の端部の珠玉１１２ａの内部に差し込まれる。よって、本実施形態のクラスプを有する装身具においては、本体８３０と珠玉部１１０の端部の珠玉１１２ａとが一体化するように連結される。そのため、本実施形態のクラスプが用いられた装身具においては、本体８３０が首振り動作することがなく、珠玉１１２ａ上において本体８３０の向きが一定に保たれた状態となる。これにより、クラスプの着脱時の操作を、本体８３０を把持して行うことに代えて、隣接する珠玉１１２ａを把持して行うことも可能となる。よって、クラスプの着脱時における本体８３０の操作性を向上させることができる。
【００９５】
＜第８実施形態＞
続いて、第８実施形態に係るクラスプついて説明する。以下の説明において、上記実施形態と同一または同様の構成部分については同一符号を付けて説明を省略または簡略化する。
本実施形態に係るクラスプは、挿し込み部材９２０を有している。本実施形態に係るクラスプの本体は、挿し込み部材９２０が挿脱及び着脱可能な構成を有していればよく、この条件を備える種々の構成の本体を用いることができる。よって、本実施形態に係るクラスプの本体については説明を省略し、以下、挿し込み部材９２０について説明する。なお、紐部材１１１には、例えば糸状紐が用いられる。
【００９６】
また、挿し込み部材９２０は、図１０（ａ）に示すように、珠玉１１２ａに接続される側の端部に、挿入部９２６を有している。挿入部９２６は、略円柱形状に形成されている。挿入部９２６は、先端側に、挿入部９２６を貫通する穴である穴部９２７が設けられている。穴部９２７は、図１０に示すように、長円形状を有しかつ挿し込み部材９２０の長手方向に対して直交する方向に挿入部９２６を貫通する穴から形成されている。なお、挿入部９２６及び穴部９２７の形状は、上記の形状に限定されない。例えば、挿入部９２６の形状は、円柱形状や円筒形状、多角柱形状、それらの組み合わせ等、種々の形状が採用可能である。また、穴部９２７の位置は、挿入部９２６の先端側に限定されず、例えば挿入部９２６の中央部分に設けられてもよい。また、穴部９２７の形状は、円形状や多角形状であってもよく、屈折する形状や、他の方向または複数の方向に貫通する形状であってもよい。  
【００９７】
また、挿し込み部材９２０は、内部において終端留め機構９５０を有している。終端留め機構９５０は、挿し込み部材９２０において珠玉１１２ｂに接続される側の端部に設けられている。終端留め機構９５０は、穴部９２７と、引掛部９２８とを有している。引掛部９２８は、挿入部９２６の先端部と穴部９２７とに挟まれた部分から形成される。なお、上述のように、挿入部９２６における、穴部９２７の位置及び穴部９２７の形状については変更が可能であるが、これらの変更に伴い、挿入部９２６における引掛部９２８の位置及び引掛部９２８の形状についても変更される。
【００９８】
終端留め機構９５０では、図１０（ｂ）に示すように、珠玉１１２ｂの内部に挿通された紐部材１１１は、さらに穴部９２７に挿通される。その後、紐部材１１１は、引掛部９２８の外周に巻きつけられて、反対側に折り返されることにより、挿し込み部材９２０の内部において紐部材１１１の折返部１１１ｃが留められる。
【００９９】
このような終端留め機構９５０は、挿し込み部材９２０の内部に設けられていることから、珠玉部１１０と挿し込み部材９２０との間において、終端留め具や連結部材などの非装飾部材を設けあるいは連結させる必要がなく、珠玉部１１０及び挿し込み部材９２０に施された装飾による外観上の一体性を保ち、装身具の審美性を維持することができる。また、終端留め機構９５０によれば、紐部材１１１の折返部１１１ｃは、引掛部９２８において確実に保持される。そのため、紐部材１１１を介して挿し込み部材９２０と珠玉部１１０との接続をより確実に行うことができる。また、挿し込み部材９２０から紐部材１１１が外れてしまい珠玉１１２が紐部材１１１から抜けることを、より確実に防止することができる。
【０１００】
また、終端留め機構９５０によれば、紐部材１１１を引掛部９２８に留める作業が容易となる利点がある。すなわち、終端留め機構９５０の構成では、紐部材１１１を引掛部９２８の外周に巻きつけて反対側に折り返す作業の際に、他の部材がじゃまになることがない。よって、挿し込み部材９２０と珠玉部１１０との連結作業を容易に行うことができる。
【０１０１】
また、挿入部９２６は、珠玉部１１０の端部の珠玉１１２ｂの内部に差し込まれる。そして、本実施形態のクラスプを有する装身具においては、挿し込み部材９２０と珠玉部１１０の端部の珠玉１１２ｂとが一体化するように連結される。そのため、本実施形態のクラスプが用いられた装身具においては、挿し込み部材９２０が首振り動作することがなく、珠玉１１２ｂ上において挿し込み部材９２０の向きが一定に保たれた状態となる。これにより、クラスプの着脱時の操作を、挿し込み部材９２０の代わりに隣接する珠玉１１２ｂを把持して行うことも可能となり、クラスプの着脱時における操作性を向上させることができる。
【０１０２】
なお、挿し込み部材９２０は、例えば、上述した図８（ｃ）に示す挿し込み部材７２０の構成と同様に、挿入部９２６を有する部材と本体に挿し込まれる本体部とが螺合等の手段により組み合わせられて形成されてもよい。
【０１０３】
＜第９実施形態＞
続いて、第９実施形態に係るクラスプについて説明する。以下の説明において、上記実施形態と同一または同様の構成部分については同一符号を付けて説明を省略または簡略化する。本実施形態に係るクラスプは、挿し込み部材１０２０と本体１１３０とを有している。
【０１０４】
挿し込み部材１０２０は、上述した第６実施形態に係るクラスプの挿し込み部材６２０の変形例における挿し込み部材７２０とほぼ同様の構成を有しており、貫通孔７２１、かしめ部材７５２、かしめ部材挿入孔７５３を有しているが、円筒部６２６が設けられていない点で、挿し込み部材７２０と異なる。挿し込み部材１０２０は、図１１（ａ）に示すように、内部に終端留め機構７５０を有している。なお、終端留め機構７５０については上述した通りである。
【０１０５】
本体１１３０は、上述した第５実施形態に係るクラスプの本体５３０とほぼ同様の構成を有しており、筐体５７０と紐留め部材１１６０とから形成される。紐留め部材１１６０は、紐留め部材５６０とほぼ同様の構成を有しているが、紐留め部材１１６０は、円筒部６２６を有しない点で、紐留め部材５６０と異なる。本体１１３０が装身具に用いられた際の珠玉１１２ａ及び本体１１３０の概略断面図を図１２に示す。なお、図１２では、着脱機構１４０は省略している。また、紐部材１１１としては、例えばワイヤが用いられる。
【０１０６】
次に、本実施形態に係るクラスプを装身具に使用する場合における、紐部材１１１を用いたクラスプと珠玉部１１０との接続工程について説明する。先ず、紐部材１１１を、本体１１３０の開口５７０ａから本体１１３０の内部に挿し込む。次に、紐部材１１１を引掛部５６２の外周面に巻き付けるようにして折り返し、開口５７０ａを介して紐部材１１１を本体１１３０の外部に引き出す。続いて、紐部材１１１は、弾性部材ｃ、多数の珠玉１１２、弾性部材ｃの順に挿通する。なお、弾性部材ｃは、例えばシリコン製の環状部材である。このようにして珠玉１１２を連接させて珠玉部１１０を形成する。この時点においては、本体１１３０は、図１２に示すように、弾性部材ｃを介して珠玉部１１０の端部の珠玉１１２ａと接続された状態となっている。
【０１０７】
続いて、珠玉部１１０及び弾性部材ｃから引き出した紐部材１１１を、挿し込み部材１０２０の後端部１０２０ｂから貫通孔７２１に挿通し、挿し込み部材１０２０の先端１０２０ａから紐部材１１１を引き出す。次いで、引き出された紐部材１１１を牽引し、紐部材１１１の長さ方向に弾性部材ｃを収縮させることにより、紐部材１１１に適度な張力を付与した状態で保持する。そして、このように保持した状態で、紐部材１１１を貫通孔７２１の内部でかしめて固着させる。このようなかしめ作業は、例えば、かしめ部材７５２をかしめ部材挿入孔７５３を介して貫通孔７２１に直交する方向から貫通孔７２１内部に圧入することにより行う。その後、先端１０２０ａからはみ出た紐部材１１１が切断される。このようにして、貫通孔７２１の内部に紐部材１１１の端部１１１ｂが留められ、装身具が完成する。このように製造された装身具の紐部材１１１は適度な張力を有している。
【０１０８】
このように、挿し込み部材１０２０によれば、珠玉部１１０と挿し込み部材１０２０との間において、終端留め具や連結部材などの非装飾部材を設けあるいは連結させる必要がなく、珠玉部１１０及び挿し込み部材１０２０に施された装飾による外観上の一体性を保ち、装身具の審美性を維持することができる。また、挿し込み部材１０２０によれば、紐部材１１１にかかる適度な張力により、クラスプと珠玉１１２ならびに珠玉１１２同士がより密着した状態で連接されるため、装身具の審美性を向上させることができる。また、挿し込み部材１０２０と珠玉１１２ｂと弾性部材ｃを介して密接するように接続される。そのため、挿し込み部材１０２０が珠玉１１２ｂ上で動いたり、傾いたりすることがない。よって、クラスプの着脱時の操作を、挿し込み部材１０２０の代わりに隣接する珠玉１１２ｂを把持して行うことも可能となる。よって、クラスプの着脱時における挿し込み部材１０２０の操作性を向上させることができる。また、挿し込み部材１０２０によれば、例えば上記の挿し込み部材７２０における円筒部６２６のような、珠玉１１２ｂに挿し込む部材は有していない。そのため、珠玉１１２ｂの内部に、このような部材が挿入されるための穴を設ける必要がない。すなわち、挿し込み部材１０２０に接続される珠玉１１２ｂの内部には、紐部材１１１が挿通可能な内径Ｄ２の穴が設けられる。これに対して、例えば、挿し込み部材６２０、７２０に接続される珠玉１１２ｂにおいては、紐部材１１１が挿通可能であって、さらに円筒部６２６が挿入可能な、Ｄ２よりも大きいＤ１を内径とする穴が設けられこととなる。したがって、挿し込み部材１０２０によれば、挿し込み部材６２０、７２０のように珠玉１１２ｂにより大きな穴を設ける必要がなく、装身具の審美性が低下することを防止することができる。さらに、挿し込み部材１０２０によれば、このような審美性が高くかつ操作性に優れた装身具を容易に製造することができる。
【０１０９】
以上、本実施形態に係るクラスプについて説明したが、挿し込み部材１０２０は、上記の差し込み部材６２０、７２０と同様の変更が可能である。また、本実施形態に係るクラスプの本体は、本体１１３０に限定されず、挿し込み部材１０２０が挿脱可能な種々の本体が用いられてよい。なお、Ｄ１、Ｄ２は、それぞれ、例えば１ｍｍ、０．８ｍｍに設定される。この場合、紐部材１１１のワイヤとしては、外径ｄが、０．３２ｍｍのものが用いられるとよい。なお、このように紐部材１１１に細いワイヤが用いられる場合であっても、本実施形態に係るクラスプを用いた場合、珠玉部１１０に挿通される紐部材１１１は２本となるので、使用される紐部材１１１の細さに起因する紐部材１１１の強度の低下は抑制される。
【０１１０】
＜第１０実施形態＞
続いて、第１０実施形態に係るクラスプついて説明する。以下の説明において、上記実施形態と同一または同様の構成部分については同一符号を付けて説明を省略または簡略化する。
本実施形態に係るクラスプは、挿し込み部材１２２０を有している。本実施形態に係るクラスプの本体としては、例えば本体１１３０が用いられる。なお、挿し込み部材１２２０が挿脱及び着脱可能な構成を有していればよく、この条件を備える種々の構成の本体を用いることができる。本体１１３０の構成については、上述した通りであるので説明を省略し、以下、挿し込み部材１２２０の構成について説明する。なお、紐部材１１１には、例えばワイヤが用いられる。
【０１１１】
挿し込み部材１２２０は、図１３（ａ）に示すように、本体部材１２７０と、被かしめ部材１２１２と、連結部材１２６０とを有している。本体部材１２７０は、図１３（ａ）に示すように、端部に孔部１２７１が設けられている。また、本体部材１２７０の内部には、孔部１２７１に隣接する位置に収容空間１２５３が設けられている。孔部１２７１は、円筒部材１２６０が挿入される孔である。孔部１２７１の周面には、円筒部材１２６０に設けられた雄螺子１２６０ａと螺合される雌螺子１２７１ａが形成されている。また、収容空間１２５３には、かしめられた後の被かしめ部材１２１２が収容される。孔部１２７１及び収容空間１２５３は、例えば断面が円形状の孔から形成されている。
【０１１２】
被かしめ部材１２１２は、図１３（ｂ）に示すように、紐部材１１１が挿通可能な孔１２１２ａが設けられた、略円筒形状の部材である。なお、被かしめ部材１２１２は、多角柱から形成されてもよい。被かしめ部材１２１２は、後述するように、孔１２１２ａに紐部材１１１が挿通された状態でかしめられる。
【０１１３】
連結部材１２６０は、図１３（ｂ）に示すように、略円筒形状の部材であり、紐部材１１１が挿通可能に形成された挿通孔１２５１が設けられている。連結部材１２６０の長手方向の端部の一端側には、フランジ部１２６０ｂを備えている。このフランジ部１２６０ｂは、弾性部材ｃを介して珠玉１１２ｂを押さえるストッパーとしての機能を有する。なお、連結部材１２６０の外径が、上述した珠玉１１２ｂの穴の口径Ｄ２よりも大きく形成されているような場合には、フランジ部１２６０ｂは設けられなくてもよい。また、連結部材１２６０の長手方向の端部の他端側には、被かしめ部１２１２の後端部１２１２ｂと当接する当接部１２５２を有している。
【０１１４】
次に、本実施形態に係るクラスプを装身具に使用する場合における、紐部材１１１を用いたクラスプと珠玉部１１０との接続工程について説明する。上述した第９実施形態に係るクラスプの場合と同様に、紐部材１１１を、本体１１３０の開口５７０ａから本体１１３０の内部に挿し込む。次に、紐部材１１１を引掛部５６２の外周面に巻き付けるようにして折り返し、開口５７０ａを介して紐部材１１１を本体１１３０の外部に引き出す。続いて、紐部材１１１は、弾性部材ｃ、多数の珠玉１１２、弾性部材ｃの順に挿通する。このようにして珠玉１１２を連接させて珠玉部１１０を形成する。この時点においては、本体１１３０は、図１２に示すように、弾性部材ｃを介して珠玉部１１０と接続された状態となっている。
【０１１５】
続いて、珠玉部１１０及び弾性部材ｃに挿通された紐部材１１１を、図１４（ａ）に示すように、フランジ部１２６０ｂ側から連結部材１２６０の挿通孔１２５１に挿通する。さらに、後端部１２１２ｂ側から被かしめ部１２１２の孔１２１２ａに挿通させて、被かしめ部１２１２の先端部１２１２ｃから紐部材１１１を引き出す。
【０１１６】
次に、先端部１２１２ｃから引き出された紐部材１１１を牽引し、紐部材１１１の長さ方向に弾性部材ｃを収縮させて紐部材１１１に適度な張力を付与した状態で保持する。そして、この状態で被かしめ部材１２１２をかしめる。かしめ作業は、例えば、ペンチ等の工具を用いて行われ、被かしめ部材１２１２の外周面に対して２方向から外力を加えることにより、被かしめ部材１２１２を潰れるように変形させることにより行う。このように被かしめ部材１２１２がかしめられると、紐部材１１１の端部１１１ｂは、被かしめ部材１２１２に固着されて留められる。続いて、被かしめ部材１２１２に対して本体部材１２７０を被せるように接合させる。被かしめ部材１２１２と本体部材１２７０との接合は、被かしめ部材１２１２の雄螺子１２６０ａと本体部材１２７０の雌螺子１２７１ａとを螺合により締結させることにより行う。なお、被かしめ部材１２１２と本体部材１２７０との接合手段としては、例えば、接着剤等を用いてもよく、係止機構が採用されてもよい。以上の工程により、装身具が完成する。
【０１１７】
挿し込み部材１２２０によれば、上記の挿し込み部材１０２０と同様の効果を有する。すなわち、装身具の審美性を向上させるとともにクラスプの着脱時における挿し込み部材１２２０の操作性を向上させることができる。また、上記の接続工程により、このような審美性が高くかつ操作性に優れた装身具を容易に製造することができる。
【０１１８】
また、挿し込み部材１２２０によれば、被かしめ部材１２１２の外周面に対して２方向から外力を加えて、被かしめ部材１２１２をかしめさせる。よって、被かしめ部材１２１２をより容易かつ確実にかしめることができる。したがって、挿し込み部材１２２０の内部において、紐部材１１１の端部１１１ｂをより確実に留めることができ、挿し込み部材１２２０や珠玉１１２から紐部材１１１が抜けることをより確実に防止することができる。
【０１１９】
なお、上記の本発明の各実施形態に係るクラスプを構成する各構成要素の材料は金属であるが、これに限定されるものではなく、各種樹脂などの任意の材料を用いることができる。また、各部材の製法も削り、張り合わせ、エッチング、金型やプレス機を用いたモールド加工など、任意の加工手法を用いることができる。
【０１２０】
以上、クラスプ及び装身具の実施形態について説明したが、本発明は、上述した説明に限定されるものではなく、本発明の要旨を逸脱しない範囲において種々の変更が可能である。また、上記した実施形態の構成を適宜組み合わせて適用することも可能である。
【０１２１】
例えば、本発明のクラスプに係る本体は、上記した本発明に係る挿し込み部材１２０等に、複数の挿入口１４１を備えた部材を装着して形成されてもよい。
また、本体８３０は、紐留め部材８６０と筐体８７０とを組み合わせて構成されているが、紐留め部材８６０と筐体８７０とは一体で形成されてもよい。また、同様に、本体１１３０において、紐留め部材１１６０と筐体５７０とは一体として形成されてもよい。
【０１２２】
また、上記の第９実施形態及び第１０実施形態に係るクラスプを用いた装身具においては、弾性部材ｃが用いられているが、装身具に設けられる弾性部材ｃの配置及び個数については任意である。すなわち、例えば、挿し込み部材１０２０、１２２０と珠玉１１２ｂとの間や本体１１３０と珠玉１１２ａとの間に弾性部材ｃが配置されていなくてもよく、珠玉部１１０における、全てのあるいは一部の珠玉１１２と珠玉１１２との間にのみ設けられていてもよい。また、弾性部材ｃを有していなくてもよい。この場合、装身具は、長さ方向に伸縮可能かつ弾性を備えた紐部材１１１が用いられるとよい。
【０１２３】
また、上記の実施形態における装身具の珠玉部は珠玉が連接されてなるが、これに限定されず、単連であってもよい。  
【符号の説明】
【０１２４】
５０、１５０、２５０、３５０、４５０、５５０、６５０、７５０、８５０、９５０、１０５０、１１５０、１２５０…終端留め機構
１００…クラスプ
１１０…珠玉部
１１１…紐部材
１１１ａ、１１１ｂ…端部
１１２、１１２ａ、１１２ｂ…珠玉
１２０、６２０、７２０、９２０、１０２０、１２２０…挿し込み部材
１３０、２３０、３３０、４３０、５３０、８３０、１１３０…本体
１１１ｃ…折返部
４６３、５６３…係止部
５６１、６２６…円筒部
７２１…貫通孔
８６１、９２６…挿入部
８６３、９２７…穴部
【図１】
2014176593.tif 000003
【図２】
2014176593.tif 000004
【図３】
2014176593.tif 000005
【図４】
2014176593.tif 000006
【図５】
2014176593.tif 000007
【図６】
2014176593.tif 000008
【図７】
2014176593.tif 000009
【図８】
2014176593.tif 000010
【図９】
2014176593.tif 000011
【図１０】
2014176593.tif 000012
【図１１】
2014176593.tif 000013
【図１２】
2014176593.tif 000014
【図１３】
2014176593.tif 000015
【図１４】
2014176593.tif 000016